(57)【特許請求の範囲】
【請求項１】
巻線が施されて平面形状が略コ字形を呈する一側鉄心部のそれぞれの開放先端面を表出させて一側ケーシング部内に収容した被測定導体用の導入窓付きの略コ字形を呈する変流器一側部と、一側鉄心部の前記両開放先端面相互間に架け渡される他側鉄心部を前記各開放先端面と各別に接触させるための接触面が表出するように他側ケーシング部内に収容した変流器他側部とで構成され、導入窓の開口側を平面方向に位置させた際の変流器一側部と変流器他側部とは、一側ケーシング部の左側面と右側面との対応部位に各別に配設された一側金具部と、他側ケーシング部の左側面と右側面との対応部位に各別に配設された他側金具部とでそれぞれが着脱自在に連結止着される計二組の連結金具を介して相互を接離自在に形成するとともに、連結止着時における前記連結金具のそれぞれは、一側ケーシング部と他側ケーシング部との左右両側面に沿っての進退が自在に各別に配設された保護カバー部を介して外部からの遮蔽を自在としたことを特徴とする設置用変流器。
【請求項２】
前記他側鉄心部は、他側ケーシング部内に介装させたバネ材に付勢されて前記各接触面の交互での出没を自在としたことを特徴とする請求項１記載の設置用変流器。
【請求項３】
前記他側ケーシング部の対応部位には、保護カバー部の進退移動時に連結金具との衝接を回避すべく設けられた開口面をその遮蔽時に塞ぐ蓋部が立設されていることを特徴とする請求項１または２記載の設置用変流器。
【請求項４】
前記保護カバー部は、遮蔽時の位置固定を自在に設けられた係合部を他側ケーシング部との間に設けたことを特徴とする請求項１ないし３のいずれかに記載の設置用変流器。
【請求項５】
前記保護カバー部相互は、一側ケーシング部の左側面の側から右側面の側へと回り込ませた略コ字形を呈する連結支腕部を介して一体に連結させたことを特徴とする請求項１ないし４のいずれかに記載の設置用変流器。
【請求項６】
前記連結支腕部は、保護カバー部による連結金具の遮蔽時に変流器一側部に具備させたケーブル接続用の端子台を覆う覆い部を有することを特徴とする請求項５記載の設置用変流器。
【請求項７】
一側ケーシング部と他側ケーシング部とには、それぞれの突合せ端面に対し互い違いでの当接が自在な突起を配設したことを特徴とする請求項１ないし６のいずれかに記載の設置用変流器。
【発明の詳細な説明】
【０００１】
【発明の属する技術分野】
本発明は、大電流が流れる被測定導体を導入窓内に導入してその電流値を継続して測定しようとする際に好適に用いることができる設置用変流器に関する。
【０００２】
【従来の技術】
図５は、従来からある設置用変流器の一例を示す全体斜視図であり、巻線が施されて平面形状が略コ字形を呈する一側鉄心部（図示せず）のそれぞれの開放先端面を表出させて一側ケーシング部３内に収容した被測定導体用の導入窓４付きの略コ字形を呈する変流器一側部２と、一側鉄心部の前記両開放先端面相互間に架け渡される他側鉄心部（図示せず）を前記各開放先端面と各別に接触させるための接触面が表出するように他側ケーシング部６内に収容した変流器他側部５とで設置用変流器１の全体が構成されている。
【０００３】
しかも、図示例のように導入窓４の開口側を平面方向に位置させた際の変流器一側部２と変流器他側部５とは、一側ケーシング部３の左側面３ａと右側面３ｂとの対応部位に各別に配設された一側金具部８と、他側ケーシング部６の左側面６ａと右側面６ｂとの対応部位に各別に配設された他側金具部９とでそれぞれが着脱自在に連結止着される計二組の連結金具７を介して相互の接離が自在となって形成されている。
【０００４】
このため、電流測定時には、各連結金具７の連結止着状態を解除して変流器一側部２の側から変流器他側部５を引き離し、導入窓４内に被測定導体を導入した後、再び変流器一側部２の側に変流器他側部５を配置し、一側金具部８と他側金具部９とからなる各連結金具７を連結止着状態として、直ちに設置することができる。
【０００５】
【発明が解決しようとする課題】
しかし、設置用変流器１が備える各連結金具７は、一側ケーシング部３の外表面に露出しているために感電防止や電気的短絡の阻止を図る上で問題があったほか、設置時に他の器具に触れるなどしてその連結止着状態が比較的簡単に解除されてしまう不都合もあった。なお、感電防止や電気的短絡の阻止を図る上からは、連結金具７に代えて樹脂製の連結具を用いることもできるが、強度的に劣るほか、長期にわたる信頼性確保という点で難点があった。
【０００６】
本発明は従来技術にみられた上記課題に鑑み、設置後の感電防止や電気的短絡の阻止を確実に実現できるばかりでなく、連結金具の連結止着状態を簡単には解除できないようにした設置用変流器を提供することに目的がある。
【０００７】
【課題を解決するための手段】
本発明は上記目的を達成すべくなされたものであり、その構成上の特徴は、巻線が施されて平面形状が略コ字形を呈する一側鉄心部のそれぞれの開放先端面を表出させて一側ケーシング部内に収容した被測定導体用の導入窓付きの略コ字形を呈する変流器一側部と、一側鉄心部の前記両開放先端面相互間に架け渡される他側鉄心部を前記各開放先端面と各別に接触させるための接触面が表出するように他側ケーシング部内に収容した変流器他側部とで構成され、導入窓の前記開口面を平面側に位置させた際の変流器一側部と変流器他側部とは、一側ケーシング部の左側面と右側面との対応部位に各別に配設された一側金具部と、他側ケーシング部の左側面と右側面との対応部位に各別に配設された他側金具部とでそれぞれが着脱自在に連結止着される計二組の連結金具を介して相互を接離自在に形成するとともに、連結止着時における前記連結金具のそれぞれは、一側ケーシング部と他側ケーシング部との左右両側面に沿っての進退が自在に各別に配設された保護カバー部を介して外部からの遮蔽を自在としたことにある。
【０００８】
この場合、前記他側鉄心部は、他側ケーシング部内に介装させたバネ材に付勢されて前記各接触面の交互での出没を自在としておくのが望ましい。また、前記他側ケーシング部の対応部位には、保護カバー部の進退移動時に連結金具との衝接を回避すべく設けられた開口面をその遮蔽時に塞ぐ蓋部を立設しておくのが好ましい。さらに、前記保護カバー部は、遮蔽時の位置固定を自在に設けられた係合部を他側ケーシング部との間に設けておくのが望ましい。
【０００９】
さらにまた、保護カバー部相互は、一側ケーシング部の左側面の側から右側面の側へと回り込ませた略コ字形を呈する連結支腕部を介して一体に連結させておくことができる。この場合、前記連結支腕部には、保護カバー部による連結金具の遮蔽時に変流器一側部に具備させたケーブル接続用の端子台を覆う覆い部を設けておくこともできる。また、一側ケーシング部と他側ケーシング部とには、それぞれの突合せ端面に対し互い違いでの当接が自在な突起を配設するのが望ましい。
【００１０】
【発明の実施の形態】
図１は、本発明の一例を二分割した分離状態で示す斜視図であり、図２は、同例につき一体的に連結させた状態で示す斜視図である。
【００１１】
これらの図によれば、設置用変流器１１の全体は、巻線（図示せず）が施されて平面形状が略コ字形を呈する一側鉄心部１４のそれぞれの開放先端面１６を表出させて一側ケーシング部１８内に収容した被測定導体用の導入窓１３付きの変流器一側部１２と、一側鉄心部１４の両開放先端面１６，１６相互間に架け渡される他側鉄心部４３を各開放先端面１６と各別に接触させるための接触面４４が表出するように他側ケーシング部４５内に収容した変流器他側部４２とで構成されている。
【００１２】
このうち、変流器一側部１２は、表出させた各開放先端面１６を残すその余の一側鉄心部１４の全体を絶縁性合成樹脂材からなる一側ケーシング部１８で覆うことにより略コ字形を呈して形成されている。また、一側ケーシング部１８において一側鉄心部１４の開放先端面１６が位置する各先端部１９は、開放先端面１６をやや突出させた状態のもとでその周囲に形成された凹陥部２０を有している。なお、図中の符号３３は、一側ケーシング部１８の一方の先端部１９の突合せ端面１９ａにおける上辺側と下辺側との略中心部位に各別に突設された突起を示す。
【００１３】
さらに、導入窓１３の開口側を平面方向に位置させた際、つまり平面方向からみて略コ字形を呈するように配置した際の変流器一側部１２における一側ケーシング部１８の先端部１９近傍に位置する左側面２１と右側面２２とのそれぞれには、起伏自在に軸支された操作用レバー６３と、該操作用レバー６３の起伏に応じてその位置を移動できるように該操作用レバー６３に付設された掛止リング６４とを有する一側金具部６２（後述する他側金具部６５との組み合わせで連結金具６１を形成している）が各別に配設されている。
【００１４】
しかも、この配置状態のもとで変流器一側部１２における一側ケーシング部１８の上側面２３と下側面２４とのそれぞれには、左側面２１近傍と右側面２２近傍とのそれぞれに一側ケーシング部１８の先端部１９から後端方向へと向け、かつ、一側金具部６２から後述する保護カバー部２７を十分な余裕をもって退避させ得る長さの各一対のガイド溝２５，２５が刻入されている。
【００１５】
また、一側ケーシング部１８には、これらのガイド溝２１を介して保護カバー部２７が進退自在に配設されている。これを図１と図２とに示す例に基づきより詳しく説明すれば、その進退移動時に連結金具６１との衝接を回避すべく設けられた開口面２８を先端に有し、かつ、周壁部２９と背壁部３０とで一側金具部６２と後述する他側金具部６５とからなる連結金具６１を覆うに足る容積と長さとが付与されてなる各保護カバー部２７は、その周壁部２９の内側面に一側ケーシング部１８の左側面２２と右側面２２とに刻入されているガイド溝２５に案内されるガイドリブ３１が隆設されており、ガイドリブ３１を介して移動自在に配設されている。
【００１６】
一方、変流器他側部４２は、各開放先端面１６と各別に接触させるべくやや突出させた接触面４４を残すその余の他側鉄心部４３の全体を絶縁性合成樹脂材からなる他側ケーシング部４５で遊動可能に覆うことにより形成されている。また、他側ケーシング部４５において他側鉄心部４３の接触面４４が位置する突端部４６のそれぞれは、接触面４４を囲繞するように突設された囲枠部４７を有しており、開放先端面１６と接触面４４とを相互に接触させた際に囲枠部４７と凹陥部２０とが相互に嵌り合う配置関係にある。なお、図中の符号５４は、他側ケーシング部４５の一方の側の突端部４６の突合せ端面４６ａの上辺側と下辺側との略中心部位に各別に突設された突起を示す。
【００１７】
また、他側鉄心部４３は、他側ケーシング部４５内に介装させた板バネ等のバネ材（図示せず）をその背面側に当接支持して付勢させることにより、他側ケーシング部４５の囲枠部４７から各接触面４４が交互に出没できるように配設しておくのが望ましい。
【００１８】
さらに、各開放先端面１６を対応する接触面４４に個別に接触させた際の変流器他側部４２における他側ケーシング部４５の突端部４６近傍に位置する左側面４８と右側面４９とには、一側金具部６２の掛止リング６４が掛着されるフック片６６を備える他側金具部６５が各別に配設されており、ひとつの他側金具部６５と、これに対応する配置関係にあるひとつの一側金具部６２との組み合わせのもとで連結金具６１がそれぞれ形成されている。
【００１９】
しかも、他側金具６５が位置する他側ケーシング部４５の上側面５０と下側面５１とには、保護カバー部２７の開口面２８側を導入すべくその突端部４６から奥端方向に向かうガイド溝５２が一側ケーシング部１８のガイド溝２５とその連結時に連続する配置関係のもとで刻入されている。この場合、該ガイド溝５２内の所定位置には凸部５３を、その遮蔽時に該凸部５３と対面する保護カバー部２７のガイドリブ３１の所定位置には凹部３２をそれぞれ設けておくことにより、遮蔽時に保護カバー部２７を位置固定できる係合部４１を形成しておくのが好ましい。また、他側金具６５の奥端寄りには、保護カバー部２７を移動させた際に連結金具６１との衝接を回避すべく設けられている開口面２８をその遮蔽時に塞ぐことができる蓋部５６を立設しておくのが好ましい。
【００２０】
図４は、本発明の他例を示す全体斜視図であり、保護カバー部２７，２７相互は、一側ケーシング部１８の左側面２１の側から右側面２２の側へと回り込ませた略コ字形を呈する連結支腕部３５を介して連結させた一体構造となって形成されている。この場合、変流器一側部１２が例えばその基端側の上面中央部にケーブル接続用の端子台２６を設けて形成されている場合には、保護カバー部２７による連結金具６１の遮蔽時にこれを覆うことができる覆い部３６を設けておくこともできる。
【００２１】
次に、本発明の作用・効果を説明すれば、電流測定時には、各連結金具６１を構成している一側金具部６２の操作用レバー６３をそれぞれ起立させ、掛止リング６４を他側金具部６５のフック片６６から引き離してその掛合関係を解除することにより、図１に示すように変流器一側部１２と変流器他側部４２とを分離することができる。
【００２２】
分離することにより変流器一側部１２の導入窓１３が開放されるので、該導入窓１３内に被測定導体（図示せず）を導入する。しかる後、変流器一側部１２と変流器他側部４２とは、再び一側鉄心部１４の各開放先端面１６に他側鉄心部４３の各接触面４４をそれぞれ接触するように配置する。このとき、一側ケーシング部１８の各先端部１９には凹陥部２０が、他側ケーシング部４５の各突端部４６には囲枠部４７がそれぞれ形成されているので、凹陥部２０と囲枠部４７とが嵌り合った状態で位置決めされ、開放先端面１６と接触面４４とを確実に接触させることができる。また、他側鉄心部４３が図示しないバネ材により他側ケーシング４５内にて当接支持されている場合には、他側鉄心部４３が付勢されて各接触面４４を交互に出没させることができる結果、開放先端面１６に対する接触状態をより安定的で確実なものとすることができる。
【００２３】
このようにして再び変流器一側部１２の側に変流器他側部４２を配置し、一側金具部６２と他側金具部６５とからなるそれぞれの連結金具６１を掛着することにより、相互を一体化した設置用変流器１１として用いられることになる。
【００２４】
しかも、該設置用変流器１１は、連結金具６１を各別に遮蔽する保護カバー部２７を備えているので、ガイド溝２５とガイド溝５２とに沿わせて変流器他側部４２側に保護カバー部２７を個別に移動させることにより、図３に示すように各連結金具６１を外部から遮蔽した状態のもとで設置することができる。したがって、連結金具６１を介しての感電や、電気的短絡を確実に阻止できるばかりでなく、設置時に連結金具６１が他の器具に触れることがないので、連結金具６１が外れることもなくすことができる。
【００２５】
この場合、保護カバー部２７が背壁部２９を備え、変流器他側部４２が保護カバー部２７の開口面２８をその遮蔽時に塞ぐべく立設された蓋部５６を備えている場合には、設置時における各連結金具６１の遮蔽をより確実なものとすることができる。さらに、他側ケーシング部４５に刻入されているガイド溝５２が凸部５３を有し、保護カバー部２７のガイドリブ３１が凹部３２を有し、双方で係合部４１を形成している場合には、遮蔽状態をより安定して確実なものとすることができる。
【００２６】
一方、図４に示すように保護カバー部２７，２７相互が連結支腕部３５を介して連結させた一体構造となっている場合には、一度の操作で各金属金具６１を同時に保護カバー部２７で遮蔽することができる。また、変流器一側部１２が適宜の位置にケーブル接続用の端子台２６を備えている場合には、連結支腕部３５の対応部位に覆い部３６を設けることにより、保護カバー部２７による連結金具６１の遮蔽時に端子台２６を覆うことができる。
【００２７】
なお、一側ケーシング部１８の一方の先端部１９の突合せ端面１９ａには突起３３を、他側ケーシング部４５の一方の側の突端部４６の突合せ端面４６ａには突起５４をそれぞれ各別に突設してある場合には、変流器一側部１２と変流器他側部４２とを相互に連結させた際、一側ケーシング部１８の突合せ端面１９ａと他側ケーシング部４５の突合せ端面４６ａとを対応する突起３３，５４を介して相互に突き合わせることができる。したがって、金型を用いた成型上の制約から突合せ時の突合せ端面１９ａ，４６ａ相互の密接が困難な場合においても、一側ケーシング部１８の側の突起３３は他側ケーシング部４５の側の突合せ端面４６ａに、他側ケーシング部４５の側の突起５４は一側ケーシング部１８の側の突合せ端面１９ａにそれぞれ当接させることにより、相互が揺動するのを確実に阻止して変流器一側部１２と変流器他側部４２とを連結させることができる。また、これらの突起３３，５４は、変流器一側部１２と変流器他側部４２と正対させて連結しようとする際の方向性を確認する目印としても利用できる。
【００２８】
【発明の効果】
以上述べたように本発明によれば、電流測定時には、一側金具部と他側金具部との連結止着状態を解除することにより変流器一側部と変流器他側部とを分離して開放された導入窓内に被測定導体を導入した後、変流器一側部と変流器他側部とを再び連結することにより、各開放先端面と各接触面とがそれぞれ接触するように配置して相互を一体化させた設置用変流器として用いることができる。
【００２９】
しかも、該設置用変流器は、連結金具を各別に遮蔽する保護カバー部を備えているので、該保護カバー部を移動させることにより、各連結金具を外部から遮蔽した状態のもとで設置することができる。したがって、連結金具を介しての感電や電気的短絡を確実に阻止できるばかりでなく、設置時に連結金具が他の器具に触れてその連結状態が解除されることもなくすることができる。
【００３０】
また、他側鉄心部がバネ材により当接支持されている場合には、各接触面を交互に出没させることができる結果、開放先端面に対する接触状態をより安定的で確実なものとすることができる。さらに、変流器他側部が保護カバー部の開口面をその遮蔽時に塞ぐ蓋部を備えている場合には、設置時における各連結金具の遮蔽をより確実なものとすることができる。さらにまた、遮蔽時の位置固定を自在に設けられた係合部を保護カバー部と他側ケーシング部との間に設けてある場合には、遮蔽状態をより安定して確実なものとすることができる。
【００３１】
一方、保護カバー部相互が連結支腕部を介して連結させた一体構造となっている場合には、一度の操作で各金属金具を同時に保護カバー部で遮蔽することができる。また、変流器一側部が適宜の位置にケーブル接続用の端子台を備え、連結支腕部の対応部位に覆い部が設けられている場合には、保護カバー部による連結金具の遮蔽時に端子台をも同時に覆うことができる。
【００３２】
なお、一側ケーシング部には突起が、他側ケーシング部には突起がそれぞれ突設されている場合には、これらの突起を介して相互に突き合わせることができるので、相互の揺動を阻止して変流器一側部と変流器他側部とをより確実に連結できる。また、これらの突起は、変流器一側部と変流器他側部と正対させて連結する際の方向性を確認する目印としても利用できる。
【図面の簡単な説明】
【図１】本発明の一例を分離した状態で示す斜視図。
【図２】図１に示す例を一体的に連結させた状態で示す斜視図
【図３】図１に示す例につき保護カバーで金属金具を遮蔽した際の状態を示す全体斜視図。
【図４】本発明の他例を示す斜視図。
【図５】従来例を図３に対応させて示す全体斜視図。
【符号の説明】
１  設置用変流器
２  変流器一側部
３  一側ケーシング部
３ａ  左側面
３ｂ  右側面
４  導入窓
５  変流器一側部
６  他側ケーシング部
７  連結金具
８  一側金具部
９  他側金具部
１１  設置用変流器
１２  変流器一側部
１３  導入窓
１４  一側鉄心部
１６  開放先端面
１８  一側ケーシング部
１９  先端部
１９ａ  突合せ端面
２０  凹陥部
２１  左側面
２２  右側面
２３  上側面
２４  下側面
２５  ガイド溝
２６  端子台
２７  保護カバー部
２８  開口面
２９  周壁部
３０  背壁部
３１  ガイドリブ
３２  凹部
３３  突起
３５  連結支腕部
３６  覆い部
４１  係合部
４２  変流器他側部
４３  他側鉄心部
４４  接触面
４５  他側ケーシング部
４６  突端部
４６ａ  突合せ端面
４７  囲枠部
４８  左側面
４９  右側面
５０  上側面
５１  下側面
５２  ガイド溝
５３  凸部
５４  突起
５６  蓋部
６１  連結金具
６２  一側金具部
６３  操作用レバー
６４  掛止リング
６５  他側金具部
６６  フック片
【図１】
0004339461.tif 000002
【図２】
0004339461.tif 000003
【図３】
0004339461.tif 000004
【図４】
0004339461.tif 000005
【図５】
0004339461.tif 000006